(57)【要約】 【課題】骨材の充填によって篭本体の寸法が延びても上面網を簡単かつ確実に取り付けることができる、合理的設計構造のふとん篭を提供する。【解決手段】矩形の箱形に形成された篭本体１０と、該篭本体１０の上面を塞ぐ上面網１１とからなり、これらの篭本体１０と上面網１１とは、扁平螺旋状に折曲した複数の列線１３を折曲部１３ａおいて順次係合させてなる菱形金網により形成されていて、上記上面網１１が、列線１３の係合の度合いを調整することによって列線係合方向の寸法Ｌ１を調整自在とされると共に、列線１３の係合が密になる方向に引っ張ったときの上記寸法Ｌ１を上記篭本体１０の対応方向の寸法Ｌ２よりも大きくする。【選択図】図１
2007255132.tif 000002
【特許請求の範囲】
【請求項１】
底面網と前後及び左右の側面網とで矩形の箱形に形成された篭本体と、該篭本体の上面を塞ぐ上面網とからなり、これらの篭本体と上面網とは、扁平螺旋状に折曲した複数の列線を折曲部おいて順次係合させてなる菱形金網により形成され、上記上面網が、列線の係合の度合いを調整することによって列線係合方向の寸法を調整自在とされると共に、列線の係合が密になる方向に引っ張ったときの寸法を上記篭本体の対応方向の寸法よりも大きく形成されていることを特徴とする寸法調整可能な上面網を有するふとん篭。
【請求項２】
上記上面網と底面網とにおける列線の配設方向が同じであることを特徴とする請求項１に記載のふとん篭。
【請求項３】
上記上面網と底面網とで菱形金網の網目の大きさを違えることにより、該上面網と篭本体とに上述した寸法関係を持たせたことを特徴とする請求項２に記載のふとん篭。
【請求項４】
上記上面網と底面網とで列線の本数を違えることにより、該上面網と篭本体とに上述した寸法関係を持たせたことを特徴とする請求項２に記載のふとん篭。
【発明の詳細な説明】
【技術分野】
【０００１】
本発明は、宅地造成工事や法面保護工事等の各種土木工事において地盤強化や土留などのために使用するふとん篭に関するものであり、さらに詳しくは、寸法調整可能な上面網を有するふとん篭に関するものである。
【背景技術】
【０００２】
ふとん篭は、一般に、図４に示す如く、底面網２と前後及び左右の側面網３，４とからなる矩形の箱形をした篭本体１と、この篭本体１の開放する上面を塞ぐ上面網５とからなっていて、それらが菱形金網により形成されている。そして、上記篭本体１の内部に栗石や土砂あるいは小径の石礫などの骨材６を充填したあと、上面網５でその上面を塞ぐことによって現場に設置される。
ところが、このように菱形金網で形成された従来のふとん篭は、篭本体１に骨材６を充填する際、該骨材６による圧力によって菱形金網が緊張したり変形したりするため、鎖線で示すように該篭本体１が伸長し、上面網５との寸法が合わなくなって該上面網５を取り付けにくいという問題があった。
【発明の開示】
【発明が解決しようとする課題】
【０００３】
そこで本発明の目的は、骨材の充填によって篭本体の寸法が延びても上面網を簡単かつ確実に取り付けることができる、合理的設計構造のふとん篭を提供することにある。
【課題を解決するための手段】
【０００４】
上記目的を達成するため、本発明によれば、底面網と前後及び左右の側面網とで矩形の箱形に形成された篭本体と、該篭本体の上面を塞ぐ上面網とからなり、これらの篭本体と上面網とは、扁平螺旋状に折曲した複数の列線を折曲部おいて順次係合させてなる菱形金網により形成され、上記上面網が、列線の係合の度合いを調整することによって列線係合方向の寸法を調整自在とされると共に、列線の係合が密になる方向に引っ張ったときの寸法を上記篭本体の対応方向の寸法よりも大きく形成されていることを特徴とする寸法調整可能な上面網を有するふとん篭が提供される。
【０００５】
本発明においては、上記上面網と底面網とにおける列線の配設方向が同じであることが望ましい。
また、上記上面網と底面網とで菱形金網の網目の大きさを違えるか、あるいは列線の本数を違えることにより、これらの上面網と篭本体との間に上述した寸法関係を持たせることができる。
【発明の効果】
【０００６】
本発明によれば、骨材の充填によって篭本体の寸法が延びても、上面網を列線の係合が密になる方向に引っ張ることにより、その寸法を伸長した上記篭本体に合わせて調整することができるため、該上面網を上記篭本体に簡単かつ確実に取り付けることができる。
【発明を実施するための最良の形態】
【０００７】
図１には、本発明に係る寸法調整可能な上面網を有するふとん篭の１実施形態が示されている。このふとん篭は、底面網１０ａと前後及び左右の側面網１０ｂ，１０ｂ及び１０ｃ，１０ｃとによって上面が開放する矩形の箱形に形成された篭本体１０と、この篭本体１０の上面を塞ぐ矩形の上面網１１とからなるもので、図４に示す一般的なふとん篭と同様に、上記篭本体１０の内部に栗石等の骨材６を充填したあと、該篭本体１０の上面を上記上面網１１で塞ぐことにより現場に設置される。上記篭本体１０と上面網１１とは、平面視正方形であっても良いが、図示した例では、前後方向寸法より左右方向寸法が大きい平面視長方形の形に形成されている。
【０００８】
上記篭本体１０と上面網１１とは、菱形金網により形成されている。この菱形金網は、周知のように、扁平螺旋形状に折曲した複数の列線１３を折曲部１３ａにおいて順次係合させることにより形成されるもので、上記底面網１０ａと上面網１１とにおいては、各列線１３の配設方向（螺旋の中心軸線の方向）が、ふとん篭の短手方向である前後方向に向けて揃えられている。従って、該底面網１０ａ及び上面網１１の長手方向（左右方向）が列線１３の係合方向ということになる。
【０００９】
上記篭本体１０における底面網１０ａと各側面網１０ｂ，１０ｂ及び１０ｃ，１０ｃとは、それらを個別に形成して相互に連結しても、一部の面網を一つの菱形金網によって一体に形成しても良い。例えば、左右の側面網１０ｃ，１０ｃにおける列線１３の向き（配設方向）を底面網１０ａの列線１３の向きと同じにした場合は、これらの側面網１０ｃ，１０ｃと底面網１０ａとを一連の菱形金網により形成することができる。また、隣接する面網同士の連結は、各面網の外周を取り囲む針金製の外周枠の互いに対応する枠線１４同士を、スクリューストッパーのような連結金具１６を巻き付けて結合するか、あるいは、面網の外周に位置する列線１３の折曲部１３ａや列線１３の端部に形成した環１３ｂに、共通の連結用骨線を挿通するなどの方法により行うことができる。
【００１０】
上記上面網１１は、図１及び図２から分かるように、篭本体１０の底面網１０ａよりも各列線１３の係合の度合いを緩めた状態に形成されていて、この状態で該上面網１１の長手方向の寸法、即ち列線１３の係合方向の寸法Ｌ１が、上記底面網１０ａの長手方向の寸法、即ち石詰め前の未だ変形していない篭本体１０の上面の長手方向の寸法Ｌ２と、ほぼ同じであるように形成されている。そして、図２に実線で示す列線１３の係合状態から、鎖線で示すように該上面網１１を該列線１３の係合方向に引っ張って、図３に示すように各列線１３を密に係合させることにより、該上面網１１の左右方向寸法Ｌ１を列線１３の係合方向に拡大させることができるようになっている。この寸法の拡大調節により、該上面網１１の長手方向の寸法Ｌ１は、上記底面網１０ａ（従って篭本体１０の上面）の長手方向の寸法Ｌ２より大きくなる。
【００１１】
図中１５は、該上面網１１の各辺に取り付けられた枠線であって、上記寸法調整を行う時には、隣接する枠線同士の結合が緩められ、調整後に固定的に結合される。
【００１２】
上記の如く、上面網１１における列線１３の係合の度合いを調整する（弛緩させる）ことによって底面網１０ａとの間に上述したような寸法関係を持たせるには、該上面網１１を、底面網１０ａと網目の大きさが同じ菱形金網により形成して、列線１３の本数を該底面網１０ａより１〜２本程度多めにするとか、底面網１０ａとは網目の大きさが違う菱形金網、例えば網目の大きい菱形金網により形成して、列線１３の本数を該底面網１０ａと同じにするかあるいは１〜２本程度多くするといったような、各種の技術的手段を用いることができる。
【００１３】
このように構成されたふとん篭は、図４に示す従来のふとん篭と同様に、篭本体１０の内部に栗石や土砂あるいは小径の石礫などの骨材６を充填したあと、上面網１１でその上面を塞ぐことによって現場に設置される。
【００１４】
ここで、充填した骨材の圧力により篭本体１０が内側から押され、側面網１０ｃ，１０ｃが図１に鎖線で示すように外側に向けて変形したり、底面網１０ａにおける各列線１３の係合の度合いがより密になるなどして、篭本体１０の上面の長手方向の寸法Ｌ２が延びた場合には、上記上面網１１を、上述したように各列線１３の係合の度合いが緩められている状態から、図３に示すように、列線１３の係合方向に引っ張って該列線１３の係合状態を密にすることにより、その長手方向の寸法Ｌ１を伸長した上記篭本体１０の上面の寸法Ｌ２に合わせて調整する。そしてそのあと、該上面網１１の各辺に取付けられている枠線１５と篭本体１０の上面の各辺に取り付けられている枠線１４とを、スクリューストッパのような連結金具で相互に結合することにより、該上面網１１を上記篭本体１０の上面に簡単かつ確実に取り付けることができる。この場合、上面網１１の長手方向一端側の枠線１５を篭本体１０に先ず結合したあと、上述したように該上面網１１を引っ張って寸法を調整し、それから残りの枠線１５を篭本体１０の対応する枠線１４に結合するのが望ましい。
【００１５】
なお、上記篭本体１０が短手方向（前後方向）にも変形してその寸法が増大している場合には、上面網１１をそれと同じ方向である前後方向に強く引っ張り、各列線１３における螺旋のピッチを延ばして該列線１３を伸長させることにより、上面網１１の寸法を前後方向にも調整することができる。しかし、篭本体１０のこのような前後方向の伸びを考慮し、上面網１１における前後方向の寸法を予め底面網１０ａに比べて若干長めに形成しておいても良い。
【図面の簡単な説明】
【００１６】
【図１】本発明に係るふとん篭の一実施形態を篭本体と上面網とを分離して示す斜視図である。
【図２】上面網の寸法拡大前の平面図である。
【図３】上面網の寸法拡大後の平面図である。
【図４】一般的なふとん篭について、石詰めして上面網を取り付ける前の状態を示す斜視図である。
【符号の説明】
【００１７】
１０      篭本体
１０ａ      底面網
１０ｂ      前後の側面網
１０ｃ      左右の側面網
１１      上面網
１３      列線
１３ａ      折曲部
Ｌ１      上面網の長手方向（列線係合方向）の寸法
Ｌ２      篭本体上面の長手方向の寸法
【図１】
2007255132.tif 000003
【図２】
2007255132.tif 000004
【図３】
2007255132.tif 000005
【図４】
2007255132.tif 000006